(57)【特許請求の範囲】
【請求項１】
左右に離間する脚柱に、左右一対の前後方向を向くブラケットの後端が各々支持され、該両ブラケット上に、左右方向を向く電磁遮蔽材からなる複数の棚板の両側が載置されている商品陳列棚において、隣り合う上下の棚板のうち下方の棚板上に物品情報を有するＲＦＩＤタグが取り付けられた物品を配置するとともに、前記上方の棚板の前端部に前方斜め下方に向くように形成されたキャノピーの下端面両端部に取付片を形成し、該取付片に、前記前方斜め下方に向くように形成されたキャノピーから後方斜め下方に向かって離間して非電磁遮蔽材である支持板を固定し、前記ＲＦＩＤタグからの電磁波を棚板本体およびキャノピーから影響されることなく受信可能に所定間隔以上離間するようにＲＦＩＤタグ情報を読み出す読出装置を前記支持板に設けたことを特徴とする物品情報の読出装置を備える商品陳列棚。
【請求項２】
前記複数の棚板の最上段に位置する棚板のさらに上方に電磁遮蔽材からなる上面板が設けられ、前記上面板と上下に隣り合う前記最上段の棚板上に物品情報を有するＲＦＩＤタグが取り付けられた物品を配置するとともに、前記ＲＦＩＤタグ情報を読み出す読出装置を、前記上面板の前端部に前方斜め下方に向くように形成されたキャノピーの下面からＲＦＩＤタグからの電磁波を最上段の棚板本体および該キャノピーから影響されることなく受信可能に所定間隔以上離間するように設けた請求項１に記載の物品情報の読出装置を備える商品陳列棚。
【請求項３】
前記キャノピー内に前記下方の棚板方向を照らす照明を設け、該照明の下方に前記読出装置を備える透光性を有する支持板を設けた請求項１または２に記載の物品情報の読出装置を備える商品陳列棚。
【請求項４】
前記読出装置が環状に形成され、前記透光性を有する支持板に設けられた請求項３に記載の物品情報の読出装置を備える商品陳列棚。
【請求項５】
前記棚板の後端部の隅部に配線口を設けた請求項１乃至４のいずれかに記載の物品情報の読出装置を備える商品陳列棚。
【発明の詳細な説明】
【技術分野】
【０００１】
本発明は、物品情報が記録されたＲＦＩＤタグの情報を読み出すための読出装置を備える商品陳列棚に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことを可能にした什器がある（特許文献１参照。）。
【０００４】
【特許文献１】特開平７−１８２３５７号公報（段落００１１−００２２、第１−３図）
【発明の開示】
【発明が解決しようとする課題】
【０００５】
しかしながら、特許文献１にあっては、上記文献１のように、什器側で物品情報を読み出すものにおいて、例えば、什器の一部が金属等の電磁遮蔽材（ＥＭＳ材）で構成されている場合には、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合を生じさせる恐れがあった。
【０００６】
本発明は、このような問題点に着目してなされたもので、読出装置からの電磁波が電磁遮蔽材によって影響されることなく、物品のＲＦＩＤタグに記録された物品情報を正確に読み出し可能な商品陳列棚を提供することを目的とする。
【課題を解決するための手段】
【０００７】
上記課題を解決するために、本発明の請求項１に記載の物品情報の読出装置を備える商品陳列棚は、左右に離間する脚柱に、左右一対の前後方向を向くブラケットの後端が各々支持され、該両ブラケット上に、左右方向を向く電磁遮蔽材からなる複数の棚板の両側が載置されている商品陳列棚において、隣り合う上下の棚板のうち下方の棚板上に物品情報を有するＲＦＩＤタグが取り付けられた物品を配置するとともに、前記上方の棚板の前端部に前方斜め下方に向くように形成されたキャノピーの下端面両端部に取付片を形成し、該取付片に、前記前方斜め下方に向くように形成されたキャノピーから後方斜め下方に向かって離間して非電磁遮蔽材である支持板を固定し、前記ＲＦＩＤタグからの電磁波を棚板本体およびキャノピーから影響されることなく受信可能に所定間隔以上離間するようにＲＦＩＤタグ情報を読み出す読出装置を前記支持板に設けたことを特徴としている。
この特徴によれば、各棚板が電磁遮蔽材であっても、読出装置が棚板前端部に形成されたキャノピーの下面からＲＦＩＤタグからの電磁波を棚板本体およびキャノピーから影響されることなく受信可能に所定間隔以上離間されて非電磁遮蔽材である支持板に取り付けられているため、棚板である電磁遮蔽材によって読出装置からの電磁波が影響されることなく、下方の棚板に載置される物品のＲＦＩＤタグに記録される情報を正確に読み出すことができるとともに、キャノピーの傾斜によって、読出装置を下方の棚板方向に向くように傾斜させることで、下方の棚板上に載置される複数の物品のＲＦＩＤタグの情報を広範囲に読み出すことができる。更に上下に位置する読出装置同士の電磁波が互いに干渉することがない。
【０００８】
本発明の請求項２に記載の物品情報の読出装置を備える商品陳列棚は、請求項１に記載の物品情報の読出装置を備える商品陳列棚であって、前記複数の棚板の最上段に位置する棚板のさらに上方に電磁遮蔽材からなる上面板が設けられ、前記上面板と上下に隣り合う前記最上段の棚板上に物品情報を有するＲＦＩＤタグが取り付けられた物品を配置するとともに、前記ＲＦＩＤタグ情報を読み出す読出装置を、前記上面板の前端部に前方斜め下方に向くように形成されたキャノピーの下面からＲＦＩＤタグからの電磁波を最上段の棚板本体および該キャノピーから影響されることなく受信可能に所定間隔以上離間するように設けた特徴としている。
この特徴によれば、上面板が電磁遮蔽材であっても、読出装置が上面板前端部に形成されたキャノピーの下面からＲＦＩＤタグからの電磁波を最上段の棚板本体および該キャノピーから影響されることなく受信可能に所定間隔以上離間されているため、上面板である電磁遮蔽材によって読出装置からの電磁波が影響されることなく、最上段の棚板上に載置される物品のＲＦＩＤタグに記録される情報を正確に読み出すことができるとともに、キャノピーの傾斜によって、読出装置を下方の棚板方向に向くように傾斜させることで、最上段の棚板上に載置される複数の物品のＲＦＩＤタグの情報を広範囲に読み出すことができる。
【００１１】
本発明の請求項３に記載の物品情報の読出装置を備える商品陳列棚は、請求項１または２のいずれかに記載の物品情報の読出装置を備える商品陳列棚であって、前記キャノピー内に前記下方の棚板方向を照らす照明を設け、該照明の下方に前記読出装置を備える透光性を有する支持板を設けたことを特徴としている。
この特徴によれば、照明の下方に透光性を有する支持板を設けることで、キャノピー内に設置された照明から前記下方の棚板方向を照らすことが可能となることから、照明付きの棚板や上面板に対しても読出装置が適用可能となる。
【００１２】
本発明の請求項４に記載の物品情報の読出装置を備える商品陳列棚は、請求項３に記載の物品情報の読出装置を備える商品陳列棚であって、前記読出装置が環状に形成され、前記透光性を有する支持板に設けられたことを特徴としている。
この特徴によれば、支持板に環状に設けられた読出装置によってキャノピー内に設置された照明効果を損なうことなく、下方の棚板に設置された物品のＲＦＩＤタグの情報の読み出しを行える。
【００１３】
本発明の請求項５に記載の物品情報の読出装置を備える商品陳列棚は、請求項１乃至４のいずれかに記載の物品情報の読出装置を備える商品陳列棚であって、前記棚板の後端部の隅部に配線口を設けたことを特徴としている。
この特徴によれば、読出装置に接続される通信ケーブルが棚板の後端部の隅部に形成された配線口に通って、商品陳列棚の脚柱に沿うように配線処理が行われるので、通信ケーブルが物品の収納部内にはみ出ることなく、商品陳列棚の正面からの見栄えが損なわれることがない。特に棚板を上下方向に移動させ設置した場合であっても効果的に通信ケーブルが隠蔽される。
【発明を実施するための最良の形態】
【００１４】
本発明の実施例を以下に説明する。
【実施例１】
【００１５】
図1は、本発明の実施例１における物品情報の読出装置を備える商品陳列棚の全体像を示す斜視図であり、図２は、読出装置を備えた棚板を示す斜視図であり、図３は、図２のＣ−Ｃ線を示す側断面図であり、図４（ａ）は、読出装置を示す拡大斜視図であり、図４（ｂ）は、読出装置の取り付けを示す斜視図であり、図５は、図１のＡ−Ａ線を示す側断面図であり、図６は、図１のＢ−Ｂ線を示す平面断面図である。この商品陳列棚（以下、商品陳列棚１）は、スーパーやコンビニエンス・ストアー等の商品売り場に設置されており、商品陳列棚１に複数の商品を数多く載置して、消費者が直に商品（以下、物品１９）の取り出しを行えるようになっている。
【００１６】
本発明の実施例１を図面に基づいて説明すると、商品陳列棚１は図1に示されるように、床面に電磁遮蔽材（本実施例では金属スチール材）から構成された棚板が設けられた載置台５が設けられ、載置台５の後方に床面から上下方向に延びる電磁遮蔽材から構成された脚柱２が左右に一対にて所定間隔離間されて設けられている。
【００１７】
両脚柱２の上端部には横架材（図示略）が挟持されるように設けられ、さらに上部に上面板１３が設けられており、これら左右の脚柱２、載置台５、横架材（図示略）によって枠体が構成されている。この枠体の脚柱２間に電磁遮蔽材（本実施例では金属スチール材）から構成された背面板６と、同じく電磁遮蔽材から構成された背面カバー（図示略）が前後に嵌合して取り付けられている。
【００１８】
脚柱２には係合穴２ａが上下方向に複数形成され、脚柱２の下方に後述するＬＡＮケーブル２１を外部に配線するための配線孔２ｂが形成される。背面板６の所定の高さ位置には、上下方向に電磁遮蔽材から構成された棚板３が複数段設けられている。この棚板３は、脚柱２の係合穴２ａに予め取り付けられたブラケット４の上端に載置され係止されている。以下、本実施例では商品陳列棚１の正面側を前方とし、商品陳列棚１の背面側を後方として説明する。
【００１９】
この棚板３の上面には、後述において説明するＲＦＩＤ（Ｒａｄｉｏ  Ｆｒｅｑｕｅｎｃｙ  ＩＤｅｎｔｉｆｉｃａｔｉｏｎ、無線による識別）タグが取り付けられた物品１９が複数載置されている。各棚板３および上面板１３の前端部には、前方斜め下方に向くように形成されたキャノピー３ａ、１３ａ（本実施例では金属スチール材）を有し、このキャノピー３ａ、１３ａの下面部には、後述において詳述する読出装置であるＲＦＩＤアンテナ９が上面板１３および各棚板３毎に対応して設けられている。載置台５の内部には、集線装置やチューナ等の機能を備えた中継装置１６と、ＲＦＩＤアンテナ９と中継装置１６に電力を給電するための電源アダプタ１７と、が設けられている。
【００２０】
各ＲＦＩＤアンテナ９には、各種信号の送受信を行う信号ケーブル（図示略）と、電力を供給する給電ケーブル（図示略）と、を含む通信ケーブル１８が各々接続されており、信号ケーブルは中継装置１６内の集線装置に接続され、給電ケーブルは電源アダプタ１７に接続され商品陳列棚１内に配設されている。
【００２１】
中継装置１６はＬＡＮケーブル２１を介して、ＬＡＮ網に接続され物品管理システムの管理や運用を行う管理コンピュータ２０に接続されている。中継装置１６内にはデータ変換機能を備えたチューナによって、管理コンピュータ２０とＲＦＩＤアンテナ９間で種々のデータの送受信が行えるようになっている。
【００２２】
つまり、物品１９のＲＦＩＤタグの物品情報のデータが管理コンピュータ２０に送信されることで、管理コンピュータ３で複数の棚板３毎に載置される物品１９の物品情報の管理が一元的に行えるようになっている。
【００２３】
なお、本実施例のＲＦＩＤアンテナ９と、物品情報が記録されたＲＦＩＤタグには、それぞれ環状のコイル型のアンテナ（図示略）を用いており、ＲＦＩＤアンテナ９とＲＦＩＤタグのコイル間に誘導されて発生する磁束を利用した電磁誘導方式により交信を行うようになってる。
【００２４】
そして、本実施例のＲＦＩＤアンテナ９の読み出し周波数は、電磁誘導方式の短波帯（１３．５６ＭＨｚ）の周波数を用いているが、本発明はこれら電磁誘導方式や周波数に限定されるものではなく、例えば、電磁誘導方式の長波帯（〜１３５ｋＨｚ）や、マイクロ波帯の電波を利用した電波方式のマイクロ波帯（２．４５ＧＨｚ）等を利用したものがあり、商品陳列棚や棚板に載置される商品の形状や特性、交信距離にあわせて、より理想的な環境下に適合した最適な方式と周波数のＲＦＩＤアンテナとＲＦＩＤタグを適宜利用するようにすれば良い。
【００２５】
次いで、商品陳列棚１の内部構造を中心に説明する。図５に示されるように、ブラケット４の後端には下向き鈎状の係合片４ａが複数形成され、係合穴２ａに係合固定され脚柱２に取り付けられている。ブラケット４の上端には係止溝４ｂが複数形成され、それと対向するように棚板３の底面には補強材３ｃが前後に離間され設けられており、ブラケット４に棚板３が載置されると係止溝４ｂに補強材３ｃが係止され位置固定されるようになっている。同様にして、ブラケット４が多段（本実施例では４段）に設けられ、これらブラケット４に棚板３が載置され位置固定されている。最上段に位置する棚板３の上方位置には上面板１３が配置され、両脚柱２の上端部に設けられた横架材８の上端に上面板１３の後端部１３ｂの下面を当接させたのち、ボルト（図示略）によって固定され取り付けられている。
【００２６】
各棚板３および上面板９の前端部に形成されたキャノピー３ａ、１３ａの下方には、それぞれＲＦＩＤアンテナ９が設けられ、各ＲＦＩＤアンテナ９に接続された各々の通信ケーブル１８は後方から下方に向けて配線され、載置台５の棚板後方に形成したケーブル孔５ａを介して中継装置１６と電源アダプタ１７に接続され、中継装置１６からＬＡＮケーブル２１が配線され、脚柱２に形成した配線孔２ｂを介して外部に配設されている。
【００２７】
また、硬質プラスチック材からなる背面板６と、略同一形状の硬質プラスチック材からなる背面カバー７が両脚柱２間に嵌合され取り付けられることで、通信ケーブル１８の配線が後方から外部に露出することなく隠蔽されている。
【００２８】
このように、上方の棚板に相当する各棚板３および上面板１３のキャノピー３ａ、１３ａに対応するように設けられたＲＦＩＤアンテナ９から、直下に位置する下方の棚板に相当する棚板３および載置台５の棚板に載置された物品１９のＲＦＩＤタグ１１の物品情報の読み出しを行えるようになっている。
【００２９】
棚板３の構造について具体的に説明する。図２は棚板３の下方より上方に見上げた斜視図が示され、棚板３は、前端部に電磁遮蔽材（本実施例では金属スチール材）から構成されたキャノピー３ａを備える棚板本体３ｅおよび補強材３ｃ、非電磁遮蔽材（本実施例では硬質プラスチック材）から構成された支持板１２とからなり、支持板１２の上面にＲＦＩＤアンテナ９が備えられている。
【００３０】
棚板本体３ｅは両端部（図示略）および後端部３ｂが下方に折り曲げられており、前端部が前方斜め下方に向かって延出されるようにキャノピー３ａが形成され、後端部３ｂの隅部には前後に貫通した配線口３ｂ’が形成されている。補強材３ｃは断面上向きコ字状で左右の長さ方向に形成され、棚板本体３ｅの下面の前後に離間してそれぞれ溶接され固着されて棚板本体３ｅの強度が高められている。キャノピー３ａの下端面後端の両端部からは、後方斜め上方に向かって取付片３ｄが形成され、後述において詳述するが支持板１２が取り付けられている。
【００３１】
図３に示されるように、支持板１２の上面にはＲＦＩＤアンテナ９が取り付けられ、ＲＦＩＤアンテナ９には通信ケーブル１８が接続され、キャノピー３ａから棚板本体３ｅの両端部に沿って配線され、配線口３ｂ’を介して後端部３ｂ後方から下方へと配設されている。なお、ＲＦＩＤアンテナ９の上下に位置するキャノピー３ａと支持板１２は、例えば物品１９の収納時に、ＲＦＩＤアンテナ９に傷や故障等が発生することを未然に防ぐアンテナ保護被膜としての機能も有している。
【００３２】
取付片３ｄへの支持板１２の取付位置は、棚板本体３ｅの下面から所定間隔以上（Ｌ１）離間され、キャノピー３ａの上面から後方斜め下方に向かって所定間隔以上（Ｌ２）離間されて取り付けられている。ＲＦＩＤアンテナ９と電磁遮蔽材である棚板本体３ｅとの間隔（Ｌ１）、およびＲＦＩＤアンテナ９と電磁遮蔽材であるキャノピー３ａとの間隔（Ｌ２）については、ＲＦＩＤアンテナ９からの電磁波を棚板本体３ｅおよびキャノピー３ａから影響されることなくＲＦＩＤタグ（図示略）に受信させ、ＲＦＩＤタグからの電磁波を棚板本体３ｅおよびキャノピー３ａから影響されることなくＲＦＩＤアンテナ９に受信させるために、少なくともＲＦＩＤアンテナ９と棚板本体３ｅおよびキャノピー３ａとの間隔を４０ｍｍ以上離間させることが好ましいことが実験的に検証されている。
【００３３】
そこで、本実施例においては前述において説明した図５に示されるように、商品陳列棚１に適用されたＲＦＩＤアンテナ９と棚板本体３ｅとの間隔（Ｌ１）、およびＲＦＩＤアンテナ９とキャノピー３ａとの間隔（Ｌ２）が４０ｍｍとなっている。なお、電磁遮蔽材である上面板１３の上面板本体１３ｅとＲＦＩＤアンテナ９との間隔（Ｌ１）、およびキャノピー１３ａとＲＦＩＤアンテナ９との間隔（Ｌ２）も、棚板３と同様に所定間隔（Ｌ１）（Ｌ２）以上離間され、それぞれの所定間隔（Ｌ１）（Ｌ２）が４０ｍｍとなっている。同じく物品１９に設けられるＲＦＩＤタグ１１の取り付け位置も棚板本体３ｅおよびキャノピー３ａ、上面板本体１３ｅおよびキャノピー１３ａからそれぞれ４０ｍｍ以上離間させることが好ましい。
【００３４】
ＲＦＩＤアンテナ９の支持板１２への取り付けについて、さらに詳細に説明する。図４（ａ）に示されるように、ＲＦＩＤアンテナ９は支持板１２に接着剤で固着されており、支持板１２の両端部には前後に上下に貫通するボルト孔１２ａが形成されている。図４（ｂ）に示されるように、左右の取付片３ｄには支持板１２のボルト孔１２ａに対応する位置に上下に貫通するボルト穴３ｄ’が形成されており、ボルト２６をボルト孔１２ａを介してボルト穴３ｄ’に螺合させることで、取付片３ｄに支持板１２が固定される。
【００３５】
このように、読出装置であるＲＦＩＤアンテナ９が支持板１２を介して棚板３のキャノピー３ａの下面に固定されるため、ＲＦＩＤアンテナ９を強固に取り付けることができるとともに、支持板１２がキャノピー３ａの取付片３ｄに着脱自在に取り付けられることで、支持板１２およびＲＦＩＤアンテナ９やキャノピー３ａ内のメンテナンス作業を迅速に行えるようになっている。
【００３６】
支持板１２の取付片３への取付時において、ＲＦＩＤアンテナ９の支持板１２の取付位置は、左右の取付片３から内方に向かって所定間隔（Ｌ０）以上離間された位置に取り付けられるとともに、キャノピー３ａの先端から所定間隔（Ｌ３）以上離間された位置に取り付けられている。
【００３７】
ＲＦＩＤアンテナ９と電磁遮蔽材である取付片３ｄとの間隔（Ｌ０）、およびＲＦＩＤアンテナ９とキャノピー３ａの先端部との間隔（Ｌ３）については、ＲＦＩＤアンテナ９からの電磁波を取付片３ｄおよびキャノピー３ａの先端部から影響されることなくＲＦＩＤタグ（図示略）に受信させ、ＲＦＩＤタグからの電磁波を棚板本体３ｅおよび補強材３ｃから影響されることなくＲＦＩＤアンテナ９に受信させるために、少なくともＲＦＩＤアンテナ９と取付片３ｄ、およびＲＦＩＤアンテナ９とキャノピー３ａの先端部との間隔を４０ｍｍ以上離間させることが好ましいことが実験的に検証されている。
【００３８】
そこで、本実施例においてはＲＦＩＤアンテナ９と、取付片３ｄおよびキャノピー３ａの先端部とのそれぞれの間隔（Ｌ０）（Ｌ３）が４０ｍｍとなっている。なお、電磁遮蔽材である上面板１３の取付片１３ｄおよびキャノピー１３ａの先端部と、ＲＦＩＤアンテナ９との間隔も、棚板３と同様にそれぞれ所定間隔（Ｌ０）（Ｌ３）以上離間され、これらの所定間隔（Ｌ０）（Ｌ３）が４０ｍｍとなるように取り付けられている（図５参照）。
【００３９】
このように、上方の棚板である棚板３および上面板１３に設けられた読出装置に相当するＲＦＩＤアンテナ９の取付位置は、棚板本体３ｅ、上面板本体１３ｅの下面およびキャノピー３ａ、１３ａの上面から下方にそれぞれ所定間隔（Ｌ１）（Ｌ２）以上離間した位置で取り付けることで、電磁遮蔽材により構成された各棚板３に取り付けられた読出装置であるＲＦＩＤアンテナ９からの電磁波が上方の棚板である棚板３に影響されずに、下方の棚板である棚板３および載置台５の棚板に載置される物品１９のＲＦＩＤタグの情報を確実に読み出すことができる。
【００４０】
同様に、電磁遮蔽材により構成された上面板１３に取り付けらた読出装置であるＲＦＩＤアンテナ９からの電磁波が上面板１３に影響されずに、最上段に設置された棚板３に載置される物品１９のＲＦＩＤタグの情報を確実に読み出すことができる。
【００４１】
しかも、取付片３ｄ、１３ｄおよびキャノピー３ａ、１３ａの先端部から所定間隔（Ｌ０）（Ｌ３）以上離間した位置でＲＦＩＤアンテナ９を支持板１２に取り付けることで、キャノピー３ａが本実施例のように電磁遮蔽材により構成された場合でも、ＲＦＩＤアンテナ９を所定間隔（Ｌ０）（Ｌ３）以上離間しておくことで、ＲＦＩＤアンテナ９からの電磁波が影響されることなく、ＲＦＩＤタグ１１からの電磁波の受信をより正確に行えるようになっている。
【００４２】
また、上面板１３および各棚板３は電磁遮蔽材で構成されているので、上下に位置するＲＦＩＤアンテナ９同士の電磁波が互いに干渉することなく、物品のＲＦＩＤタグ１１の情報を下方の棚板である各棚板３および載置台５の棚板毎に確実に読み出すことができる。
【００４３】
さらに、図５に示されるように、ＲＦＩＤアンテナ９が下方の棚板である各棚板３および載置台５の棚板方向に向くように傾斜され取り付けられることで、例えば、各棚板３および載置台５の棚板上に載置される物品１９の上面側にＲＦＩＤタグ１１が取り付けられた場合以外にも、前面側にＲＦＩＤタグ１１’、背面側にＲＦＩＤタグ１１’’というように、これらＲＦＩＤタグ１１、１１’、１１’’の情報を広範囲に読み出すことができる。
【００４４】
次いで、図６に示されるように、ＲＦＩＤアンテナ９はキャノピー３ａへの所定の取付位置によって、左右の両脚柱２に係止されたブラケット４から内方に向かって所定間隔（Ｌ４）以上離間され取り付けられている（本実施例では４０ｍｍ）。棚板３には物品１９が複数載置されており、これら物品１９の上面にはＲＦＩＤタグ１１がそれぞれ取り付けられている。
【００４５】
ＲＦＩＤアンテナ９と電磁遮蔽材であるブラケット４との間隔（Ｌ４）については、ＲＦＩＤアンテナ９からの電磁波をブラケット４から影響されることなくＲＦＩＤタグ１１に受信させ、ＲＦＩＤタグ１１からの電磁波をブラケット４から影響されることなくＲＦＩＤアンテナ９に受信させるために、少なくともＲＦＩＤアンテナ９とブラケット４との間隔を４０ｍｍ以上離間させることが好ましいことが実験的に検証されている。そこで、本実施例においては、ＲＦＩＤアンテナ９とブラケット４との間隔（Ｌ４）が４０ｍｍとなるように設定されている。
【００４６】
ＲＦＩＤアンテナ９に接続された通信ケーブル１８は、棚板３の後端部３ｂの隅部に形成された配線口３ｂ’を通され、脚柱２に沿うように配線処理が行われるので、通信ケーブル１８を物品１９の収納部内にはみ出させることを防止でき、商品陳列棚１の正面からの見栄えを損なわせることがない。特に棚板３を上下方向に移動させ設置した場合であっても効果的に通信ケーブル１８の隠蔽を行うことができる。
【００４７】
以上の説明により実施例１では、読出装置であるＲＦＩＤアンテナ９を電磁遮蔽材である棚板３および上面板１３、キャノピー３ａ、１３ａから支持板１２を介して離間させ取り付けることができることから、下方の棚板である棚板３および載置台５の棚板に載置される物品１９に取り付けられたＲＦＩＤタグ１１の物品情報が含まれる電磁波が、これら電磁遮蔽材による影響を受けることなくＲＦＩＤアンテナ９に受信させることができるとともに、キャノピー３ａ、１３ａの下面側にＲＦＩＤアンテナ９を設けることで、下方の棚板方向に向くように傾斜させることができ、棚板上に載置される複数の物品１９に取り付けられたＲＦＩＤタグ１１の情報を広範囲に読み出すことができる。
【実施例２】
【００４８】
次に、本発明の実施例２を図７、図８に基づいて説明する。図７は、読出装置を示す斜視図であり、図８は、読出装置が取り付けられた棚板を示す側断面図である。
【００４９】
なお、以下の実施例２において前述の実施例１と同様の構造部分に関しては、同一の符号を付すことにより詳細な説明は省略することにする。図７に示されるように、ＲＦＩＤアンテナ９は環状に形成され開口９ｂが形成されている。このＲＦＩＤアンテナ９は透光性を有する支持板１２’（本実施例では透光性の硬質プラスチック材）に接着剤で固着されており、支持板１２’の両端部には前後に上下に貫通するボルト孔１２ａが形成されている。
【００５０】
図８に示されるように、キャノピー３ａの内部には照明３２が設けられ、直下に位置する下方の棚板である棚板３または載置台５の棚板に載置される物品（図示略）の照明を行うように構成されており、照明３２の下方に位置するように支持板１２’がボルト２６で着脱自在に取付板３ｄに固定されることから、キャノピー３ａ内に設置される照明３２の交換等のメンテナンス作業を迅速に行えるようになっている。
【００５１】
このように、透光性を有する支持板１２’を照明３２の下方に設けることで、キャノピー３ａ内に設置された照明３２からの光がＲＦＩＤアンテナ９’の開口９ｂを介して、前記下方の棚板方向を照らすことが可能となることから、照明付きの棚板や上面板に対してもＲＦＩＤアンテナの設置が可能となる。さらに、ＲＦＩＤアンテナ９’が支持板１２’に環状に設けられることで、キャノピー３ａ内に設置された照明３２の効果を損なうことなく、下方の棚板に設置された物品のＲＦＩＤタグの情報の読み出しを行える。
【００５２】
以上、本発明の実施例１、２を図面により説明してきたが、具体的な構成はこれら実施例に限られるものではなく、本発明の要旨を逸脱しない範囲における変更や追加があっても本発明に含まれ、例えば上記実施例では、キャノピー３ａ内にＲＦＩＤアンテナ９を設けることで、ＲＦＩＤアンテナ９が外部に露出することなく保護されることから好ましいが、本発明はこれに限定されるものではなく、例えば、ＲＦＩＤアンテナ９を支持板１２の下面に取り付けて表面にアンテナ保護被膜を設けることで、ＲＦＩＤアンテナ９を収納部内に露出させるように設置しても良く、商品陳列棚１の利用形態に合わせてＲＦＩＤアンテナ９の設置状態を決めるようにしても良い。
【００５３】
また、上記実施例では、ＲＦＩＤタグ１１が物品１９に貼付され取り付けられているが、本発明はこれに限定されるものではなく、例えば物品１９内にＲＦＩＤタグ１１を埋め込んで取り付けたり、物品１９内部にそのまま内挿した状態でも良く、物品の商品特性を生かした取り付け方法で適宜ＲＦＩＤタグを取り付ければ良い。
【００５４】
また、上記実施例では、キャノピー３ａ、１３ａを電磁遮蔽材で形成しているが、本発明はこれに限定されるものではなく、キャノピーを非電磁遮蔽材（例えば硬質プラスチック）で形成し、ＲＦＩＤアンテナを電磁遮蔽材である棚板から離間させるようにキャノピーに取り付けるようにしても良い。
【００５５】
また、上記実施例では、管理コンピュータ２０を外部に設けた構成（図１参照）にすることで、他の複数の商品陳列棚（図示略）を一元的に管理可能にしているが、本発明はこれに限定されるものではなく、例えば、中継装置１６が収納される載置台５内に管理コンピュータ２０を内蔵するようにしても良く、商品陳列棚毎に物品の管理を行うようにしても良い。
【図面の簡単な説明】
【００５６】
【図１】本発明の実施例１における物品情報の読出装置を備える商品陳列棚の全体像を示す斜視図である。
【図２】読出装置を備えた棚板を示す斜視図である。
【図３】図２のＣ−Ｃ線を示す側断面図である。
【図４】（ａ）は、読出装置を示す拡大斜視図であり、（ｂ）は、読出装置をキャノピーに取り付ける過程を示す斜視図である。
【図５】図１のＡ−Ａ線を示す側断面図である。
【図６】図１のＢ−Ｂ線を示す平面断面図である。
【図７】実施例２における読出装置を示す斜視図である。
【図８】実施例２の読出装置が取り付けられた棚板を示す側断面図である。
【符号の説明】
【００５７】
１                    商品陳列棚
２                    脚柱（電磁遮蔽材）
２ａ                  係合穴
２ｂ                  配線孔
３、３’              棚板（電磁遮蔽材）
３ａ                  キャノピー
３ｂ                  後端部
３ｂ’                配線口
３ｃ                  補強材（電磁遮蔽材）
３ｄ                  取付片（キャノピーの一部）
３ｄ’                ボルト穴
３ｅ                  棚板本体
４                    ブラケット
４ａ                  係合片
４ｂ                  係止溝
５                    載置台
５ａ                  ケーブル孔
６                    背面板（電磁遮蔽材）
７                    後面板（電磁遮蔽材）
８                    横架材
９、９’              ＲＦＩＤアンテナ（読出装置）
９ｂ                  開口
１１、１１’、１１’’  ＲＦＩＤタグ
１２                  支持板（非電磁遮蔽材）
１２’                透光性を有する支持板（非電磁遮蔽材）
１２ａ                ボルト孔
１３                  上面板（電磁遮蔽材）
１３ａ                キャノピー
１３ｂ                後端部
１３ｃ                補強材（電磁遮蔽材）
１３ｄ                取付板
１３ｅ                上面板本体
１８                  通信ケーブル（給電ケーブル及び信号ケーブルを含む）
１９                  物品
２６                  ボルト
３２                  照明
【図１】
0004699708.tif 000002
【図２】
0004699708.tif 000003
【図３】
0004699708.tif 000004
【図４】
0004699708.tif 000005
【図５】
0004699708.tif 000006
【図６】
0004699708.tif 000007
【図７】
0004699708.tif 000008
【図８】
0004699708.tif 000009